(57)【要約】【課題】美観が優れ、配線ダクトを天井へ強固に固定することができる配線ダクト付天井パネルシステムを提供する。【解決手段】天井に設けられた引掛けシーリング１を囲むように天井に固定され、その厚みの寸法内に引掛けシーリング１を収める枠状の下地フレーム２と、引掛けシーリング１に取り付けられる引掛けシーリング用の取付具３１を有し、取付具３１を介して引掛けシーリング１と電気的に接続され電気機器５に電力を供給するとともに電気機器５を支持し、下地フレーム２に固定される配線ダクト３と、下地フレーム２を覆うとともに配線ダクト３が露出する隙間４３が形成されるように下地フレーム２に取り付けられる表面パネル４と、を備えてなるようにした。【選択図】図１
2010231980.tif 000002
【特許請求の範囲】
【請求項１】
天井に設けられた引掛けシーリングを囲むように天井に固定され、その厚みの寸法内に引掛けシーリングを収める枠状の下地フレームと、
引掛けシーリングに取り付けられる引掛けシーリング用の取付具を有し、取付具を介して引掛けシーリングと電気的に接続され電気機器に電力を供給するとともに電気機器を支持し、下地フレームに固定される配線ダクトと、
下地フレームを覆うとともに配線ダクトが露出する隙間が形成されるように下地フレームに取り付けられる表面パネルと、
を備えてなる配線ダクト付天井パネルシステム。
【請求項２】
配線ダクトは少なくとも２つの長尺の配線ダクトレールが交差する形状であり、この交差位置に引掛けシーリングに取り付けられる取付具を備えていることを特徴とした請求項１記載の配線ダクト付天井パネルシステム。
【請求項３】
下地フレームは、四角形の枠状フレームと、四角形の枠状フレームの隣接する二辺の略中央部から対向するそれぞれの対向辺の略中央部に架設する２つの梁フレームと、を備え、梁フレームが交差する交差位置には引掛けシーリングを収める収納孔が設けられており、
配線ダクトは２つの長尺の配線ダクトレールが交差する形状であり、この交差位置に下地フレームの収納孔を介して引掛けシーリングに取り付けられる取付具を備え、２つの長尺の配線ダクトレールが下地フレームの２つの梁フレームに対向し固定されることを特徴とした請求項１記載の配線ダクト付天井パネルシステム。
【請求項４】
表面パネルの縁部は前記隙間から露出した配線ダクトの側面に近接して配置されることを特徴とした請求項１乃至３のいずれか一項に記載の配線ダクト付天井パネルシステム。
【発明の詳細な説明】
【技術分野】
【０００１】
本願発明は、配線ダクトを備え、天井に設置される配線ダクト付天井パネルシステムに関するものである。
【背景技術】
【０００２】
従来から、特開２００６−４７７５号公報（特許文献１）に示されるように、長尺状の配線ダクトを天井に設けられた引掛けシーリングに取り付けることができる配線ダクトユニットは知られている。この配線ダクトユニットは、配線ダクトに一体に取り付けられる取付サポートを備えている。取付サポートは、天井の取付具への取付位置を調整するための調整穴を有し、取付具に螺合する取付ネジの頭部に調整穴の縁部を摺動させて位置調整する。そして、位置調整後に取付ネジで取付サポートを取付具に取り付けることにより、配線ダクトが引掛けシーリングに取り付けられると共に天井に固定される。
したがって、この配線ダクトユニットによれば、配線ダクトの取り付けの安全性および作業性を向上できるとされている。
【先行技術文献】
【特許文献】
【０００３】
【特許文献１】特開２００６−４７７５号公報
【発明の概要】
【発明が解決しようとする課題】
【０００４】
しかしながら、上記従来例である配線ダクトユニットにあっては、引掛けシーリングの取付サポートや配線ダクトが露出する構成となっており、美観的に優れない。また、配線ダクトに接続される電気機器の重量が大きい場合は、配線ダクトの天井への取付強度に問題があった。
【０００５】
本願発明は、上記背景技術に鑑みて発明されたものであり、その課題は、美観が優れ、配線ダクトを天井へ強固に固定することができる配線ダクト付天井パネルシステムを提供することである。
【課題を解決するための手段】
【０００６】
上記課題を解決するために、本願請求項１記載の発明では、天井に設けられた引掛けシーリングを囲むように天井に固定され、その厚みの寸法内に引掛けシーリングを収める枠状の下地フレームと、引掛けシーリングに取り付けられる引掛けシーリング用の取付具を有し、取付具を介して引掛けシーリングと電気的に接続され電気機器に電力を供給するとともに電気機器を支持し、下地フレームに固定される配線ダクトと、下地フレームを覆うとともに配線ダクトが露出する隙間が形成されるように下地フレームに取り付けられる表面パネルと、を備えるようにしている。
【０００７】
又、本願請求項２記載の発明では、上記請求項１記載の配線ダクト付天井パネルシステムにおいて、配線ダクトは少なくとも２つの長尺の配線ダクトレールが交差する形状であり、この交差位置に引掛けシーリングに取り付けられる取付具を備えていることを特徴としている。
又、本願請求項３記載の発明では、上記請求項１記載の配線ダクト付天井パネルシステムにおいて、下地フレームは、四角形の枠状フレームと、四角形の枠状フレームの隣接する二辺の略中央部から対向するそれぞれの対向辺の略中央部に架設する２つの梁フレームと、を備え、梁フレームが交差する交差位置には引掛けシーリングを収める収納孔が設けられており、配線ダクトは２つの長尺の配線ダクトレールが交差する形状であり、この交差位置に下地フレームの収納孔を介して引掛けシーリングに取り付けられる取付具を備え、２つの長尺の配線ダクトレールが下地フレームの２つの梁フレームに対向し固定されることを特徴としている。
又、本願請求項４記載の発明では、上記請求項１乃至３のいずれか一項に記載の配線ダクト付天井パネルシステムにおいて、表面パネルの縁部は前記隙間から露出した配線ダクトの側面に近接して配置されることを特徴としている。
【発明の効果】
【０００８】
本願請求項１記載の発明の配線ダクト付天井パネルシステムにおいては、天井に設けられた引掛けシーリングを囲むように天井に固定され、その厚みの寸法内に引掛けシーリングを収める枠状の下地フレームと、引掛けシーリングに取り付けられる引掛けシーリング用の取付具を有し、取付具を介して引掛けシーリングと電気的に接続され電気機器に電力を供給するとともに電気機器を支持し、下地フレームに固定される配線ダクトと、下地フレームを覆うとともに配線ダクトが露出する隙間が形成されるように下地フレームに取り付けられる表面パネルと、を備えているので、下地フレーム全体で配線ダクトの荷重を受けることが可能であり、配線ダクトを、下地フレームを介して天井へ強固に固定することができるとともに、配線ダクトと表面パネルが一体となった美観性の優れたパネルシステムを提供することができる。
【０００９】
又、本願請求項２記載の発明の配線ダクト付天井パネルシステムにおいては、特に、配線ダクトは少なくとも２つの長尺の配線ダクトレールが交差する形状であり、この交差位置に引掛けシーリングに取り付けられる取付具を備えているので、２つの長尺状の配線ダクトに沿って電気機器を自由に位置させることができる。
【００１０】
又、本願請求項３記載の発明の配線ダクト付天井パネルシステムにおいては、特に、下地フレームは、四角形の枠状のフレームと、四角形の枠状フレームの隣接する二辺の略中央部から対向するそれぞれの対向辺の略中央部に架設する２つの梁フレームと、を備え、梁フレームが交差する交差位置には引掛けシーリングを収める収納孔が設けられており、配線ダクトは２つの長尺の配線ダクトレールが交差する形状であり、この交差位置に下地フレームの収納孔を介して引掛けシーリングに取り付けられる取付具を備え、２つの長尺の配線ダクトレールが下地フレームの２つの梁フレームに対向し固定されるので、下地フレームは軽量であり、パネルシステムを天井に簡単に取り付けることができる。
【００１１】
又、本願請求項４記載の発明の配線ダクト付天井パネルシステムにおいては、特に、表面パネルの縁部は前記隙間から露出した配線ダクトの側面に近接して配置されるので、配線ダクトの回転応力を表面パネルの縁部で受けることができ、配線ダクトを強固に下地フレームに固定することができる。
【図面の簡単な説明】
【００１２】
【図１】本願発明の実施形態における配線ダクト付天井パネルシステムの分解斜視図である。
【図２】本願発明の実施形態における配線ダクト付天井パネルシステムを天井に取り付けた状態を示す斜視図である。
【図３】（ａ）は本願発明の実施形態における下地フレームの下面図であり、（ｂ）は上面図であり、（ｃ）は（ａ）におけるＡ−Ａ断面図である。
【図４】（ａ）は本願発明の実施形態における配線ダクトの上面図であり、（ｂ）は下面図であり、（ｃ）は（ａ）におけるＡ−Ａ断面図である。
【発明を実施するための形態】
【００１３】
以下、本願発明の実施形態を、図面を参照して説明する。図１は、本願発明の実施形態に係る配線ダクト付天井パネルシステムの分解斜視図であり、図２は本願発明の実施形態に係る配線ダクト付天井パネルシステムを天井に取り付けた状態を示す斜視図である。配線ダクト付天井パネルシステムは、天井に設けられた引掛けシーリング１を囲むように天井に固定され、その厚みの寸法内に引掛けシーリング１を収める枠状の下地フレーム２と、引掛けシーリング１に取り付けられる引掛けシーリング１用の取付具３１を有し、取付具３１を介して引掛けシーリング１と電気的に接続され電気機器５に電力を供給するとともに電気機器５を支持し、下地フレーム２に固定される配線ダクト３と、下地フレーム２を覆うとともに配線ダクト３が露出する隙間４３が形成されるように下地フレーム２に取り付けられる表面パネル４と、を備えている。
また、配線ダクト３は少なくとも２つの長尺の配線ダクトレール３２が交差する形状であり、この交差位置に引掛けシーリング１に取り付けられる取付具３１を備えている。
また、下地フレーム２は、四角形の枠状フレーム２１と、四角形の枠状フレーム２１の隣接する二辺の略中央部から対向するそれぞれの対向辺の略中央部に架設する２つの梁フレーム２２と、を備え、梁フレーム２２が交差する交差位置には引掛けシーリング１を収める収納孔２４が設けられており、配線ダクト３は２つの長尺の配線ダクトレール３２が交差する形状であり、この交差位置に下地フレーム２の収納孔２４を介して引掛けシーリング１に取り付けられる取付具３１を備え、２つの長尺の配線ダクトレール３２が下地フレーム２の２つの梁フレーム２２に対向し固定される。
また、表面パネル４の縁部は前記隙間４３から露出した配線ダクト３の側面に近接して配置される。
天井に設けられた引掛けシーリング１は、所定の厚みを有し、その下面に栓刃挿入口１１が設けられており、この栓刃挿入口１１の内部には屋内配線と接続された端子が配設されている。
図３（ａ）は下地フレーム２の下面図であり、図３（ｂ）は下地フレーム２の上面図であり、図３（ｃ）は（ａ）におけるＡ−Ａ断面図である。下地フレーム２は、矩形の枠状フレーム２１と枠状フレーム２１の隣接する二辺の略中央部から対向するそれぞれの対向辺の略中央部に架設する２つの長尺の梁フレーム２２とを備える形状であり、枠状フレーム２１と梁フレーム２２とに囲まれる開口２３が４つ存在する。また、梁フレーム２２が交差する交差位置には引掛けシーリング１を収める円状の収納孔２４が設けられている。
下地フレーム２はその断面形状が、四角形の枠体の上側の一辺の中ほどが切り欠けたように形成されている。枠体の上側の一辺の切り欠けた箇所の両側には上部突片２５が存在し、この上部突片２５に下地フレーム２を天井に固定するための下地フレーム固定用孔２６が複数形成されている。この下地フレーム固定用孔２６は下地フレーム２の長手方向に沿って長孔状に形成されており、少なくとも枠状フレーム２１の４つの角部や梁フレーム２２が交差する交差位置の角部に設けられている。下地フレーム２は、この下地フレーム固定用孔２６に取付用ビス２７を挿入し、取付用ビス２７を天井に固定することによって、天井に固定される。ところで、枠体の下側の一辺には、取付用ビス通過孔２０が複数形成されている。この取付用ビス通過孔２０は、下地フレーム固定用孔２６に取付用ビス２７を挿入し天井に固定する際に、取付用ビス通過孔２０から取付用ビス２７の固定作業を行うものためのものであり、下地フレーム固定用孔２６に対向する位置に設けられている。取付用ビス通過孔２０は、その外周形状が下地フレーム固定用孔２６より大きく形成されており取付用ビス２７の頭部分が通過できるようになっている。
また、枠体の下側の一辺には配線ダクト取付用ネジ孔２８および表面パネル引掛け用孔２９が形成されている。配線ダクト取付用ネジ孔２８は、２つの長尺の梁フレーム２２の長手方向における両端部に４箇所穿設され、梁フレーム２２の端部と、梁フレーム２２が交差する交差位置と、の略中央部に４箇所穿設され、合計で８箇所穿設されている。表面パネル引掛け用孔２９は、下地フレーム２の開口２３側の外周の端部において、その４つの角部にそれぞれ１つずつ穿設されており、開口２３は４つ存在するので、合計で１６箇所穿設されている。なお、表面パネル引掛け用孔２９はだるま穴状に形成されている。
図４（ａ）は配線ダクト３の上面図であり、図４（ｂ）は配線ダクト３の下面図であり、４（ｃ）は（ａ）におけるＡ−Ａ断面図である。配線ダクト３は、引掛けシーリング１に取り付けられる引掛けシーリング１用の取付具３１と２つの長尺の配線ダクトレール３２とを備える。
取付具３１は、その外周形状が引掛けシーリング１の外周形状と略同一であり、その上面に上方に突出した栓刃３３を備え、この栓刃３３が引掛けシーリング１の栓刃挿入口１１に挿入、回動され固定されることにより栓刃挿入口１１内部の端子と当接し、取付具３１は引掛けシーリング１と電気的および機械的に接続される。取付具３１は引掛けシーリング１と外周形状が重なるように取り付けられる。ここで、上述の下地フレーム２に設けられた収納孔２４の径は引掛けシーリング１および取付具３１を収めることができるように設定されており、収納孔２４の深さは引掛けシーリング１に取付具３１が取り付けられた状態において引掛けシーリング１の厚みと取付具３１の厚みとを足し合わせた厚みと略同一になるように設定されている。
２つの配線ダクトレール３２は、矩形の枠状フレーム２１の長辺と略同一の長さである長尺の配線ダクトレール３２ａと、矩形の枠状フレーム２１の短辺と略同一の長さであり、配線ダクトレール３２ａより短尺の配線ダクトレール３２ｂとで構成され、それぞれ、その略中央部で交差し、この交差位置の上部に取付具３１が設けられる。２つの配線ダクトレール３２がなす角度は略９０°となっており、上述の下地フレーム２の梁フレーム２２に対向させて取り付けることができる。
配線ダクトレール３２は、その断面形状が四角形の枠体の下側の一辺の中ほどが切り欠けたように形成されている。また、枠体の内部には離間して対向配置される一対の導電板３３と一対の凹溝３４が形成され、一対の導電板３３は配線ダクトレール３２の長手方向に一連で設けられており、取付具３１を介して引掛けシーリング１と電気的に接続されている。ここで、例えば照明器具である、電気機器５は一対の突片（図示せず）と一対の端子（図示せず）とを備えており、一対の突片が前記一対の凹溝３４に嵌合することにより電気機器５が配線ダクトレール３２に係止されるとともに一対の端子が前記一対の導電板３３に当接することにより電気機器５に電力が供給される。また、上述の配線ダクトレール３２および電気機器５の構成により、電気機器５は配線ダクトレール３２の長手方向に沿って自在に移動が可能となっている。
ところで、配線ダクトレール３２となる枠体の上側の一辺には下地フレーム取付用ネジ孔３５が穿設されている。下地フレーム取付用ネジ孔３５は長尺の配線ダクトレール３２ａの両端部に２箇所穿設され、長尺の配線ダクトレール３２ａと短尺の配線ダクトレール３２ｂとが交差する位置と長尺の配線ダクトレール３２ａの端部との略中央部に２箇所穿設されている。同様に下地フレーム取付用ネジ孔３５は短尺の配線ダクトレール３２ｂの両端部に２箇所穿設され、長尺の配線ダクトレール３２ａと短尺の配線ダクトレール３２ｂとが交差する位置と短尺の配線ダクトレール３２ｂの端部との略中央部に２箇所穿設されている。
【００１４】
次に、配線ダクト３の下地フレーム２への取付方法について説明する。配線ダクト３の取付具３１を下地フレーム２の収納孔２４から露出した引掛けシーリング１へ回動させて取り付けるとともに取付具３１を収納孔２４に納める。また、このとき下地フレーム２の梁フレーム２２に配線ダクトレール３２を対向させ、下地フレーム２に穿設された配線ダクト取付用ネジ孔２８と配線ダクトレール３２に穿設された下地フレーム取付用ネジ孔３５の位置を合わせて配線ダクト取付用ネジ孔２８および下地フレーム取付用ネジ孔３５に嵌合するネジ３６を取り付けて配線ダクト３を下地フレーム２に取り付ける。
表面パネル４は同形状の４つの表面パネル部材４１、からなり、それぞれの表面パネル部材４１は平板形状であり、その厚みは、配線ダクトレール３２の厚みと略同一に設定され、平面形状は矩形状である。表面パネル部材４１の下面側の表面は化粧加工されており、表面パネル部材４１の上面側の端部の４つの角部には上側に突出した表面パネル引掛け用鉤突起４２が設けられている。この表面パネル引掛け用鉤突起４２を下地フレーム２に穿設された表面パネル用引掛け孔２９に嵌入し、表面パネル引掛け用鉤突起４２を表面パネル用引掛け孔２９に係止させることにより、４つの表面パネル部材４１を下地フレーム２に取り付ける。このとき、それぞれの表面パネル部材４１の隣接する二辺の内の一方の一辺の側面と、短尺の配線ダクトレール３２ｂの端部から交差位置までの側面と、が当接し、他方の一辺の側面と、長尺の配線ダクトレール３２ａの端部から交差位置までの側面と、が当接するように取り付けられる。したがって、４つの表面パネル部材４１が取り付けられることにより下地フレーム２の４つの開口２３および下地フレーム２が覆われ、４つの表面パネル部材４１の隙間４３から配線ダクトレール３２が露出する構成となっている。
【００１５】
したがって、本実施形態の配線ダクト付天井パネルシステムによると、下地フレーム２に配線ダクトレール３２を複数個所においてネジ３６で強固に固定するので、下地フレーム２全体で配線ダクト３の荷重を受けることが可能であり、下地フレーム２も複数個所において取付用ビス２７によって強固に天井に固定されるので、配線ダクト３を、下地フレーム２を介して天井へ強固に固定することができる。
さらに、表面パネル部材４１によって下地フレーム２の４つの開口２３および下地フレーム２が覆われ、４つの表面パネル部材４１の隙間４３から配線ダクトレール３２が露出する構成となっている。また、表面パネル部材４１は、その上面側に表面パネル引掛け用鉤突起４２が設けられており、下面側からは視認できず、視認される下面側は化粧加工されているので、美観性の優れた配線ダクト付天井パネルシステムを提供することができる。
また２つの長尺状の配線ダクトレール３２に沿って電気機器５を自由に位置させることができる。さらに、下地フレーム２は軽量であり、配線ダクト付天井パネルシステムを天井に簡単に取り付けることができる。
また、表面パネル部材４１の側面は配線ダクト３の側面に当接して配置されるので、配線ダクト３の回転応力を表面パネル部材４１の側面で受けることができ、配線ダクト３を強固に下地フレーム２に固定することができる。
【符号の説明】
【００１６】
１  引掛けシーリング
２  下地フレーム
３  配線ダクト
４  表面パネル
５  電気機器
２１  枠状フレーム
２２  梁フレーム
２４  収納孔
３１  取付具
３２  配線ダクトレール
４３  隙間
【図１】
2010231980.tif 000003
【図２】
2010231980.tif 000004
【図３】
2010231980.tif 000005
【図４】
2010231980.tif 000006